【事件の表示】
　特願２０１２−１８０６９５「円筒形物体のサンドブラストを容易にするための固定治具」拒絶査定不服審判事件〔平成２５年３月４日出願公開、特開２０１３−４３２８１〕について、次のとおり審決する。
【結　論】
　本件審判の請求は、成り立たない。
【理　由】
第１　手続の経緯
　本願は、平成２４年８月１７日（パリ条約による優先権主張２０１１年８月２５日（ＵＳ）アメリカ合衆国）の出願であって、その手続の主な経緯は以下のとおりである。
　平成２７年　８月１０日　　：手続補正書の提出
　平成２８年　４月１９日付け：拒絶理由通知書
　　同　　年　７月２０日　　：意見書、手続補正書の提出
　　同　　年　８月１０日付け：拒絶査定
　　同　　年１２月１３日　　：審判請求書の提出
　平成３０年　４月２５日付け：拒絶理由通知書
　　同　　年　７月２６日　　：意見書、手続補正書の提出
　　同　　年　８月１５日付け：拒絶理由通知書（最後）
　　同　　年１１月１５日　　：意見書、手続補正書の提出
第２　平成３０年１１月１５日にされた手続補正についての補正の却下の決定
［補正の却下の決定の結論］
　平成３０年１１月１５日にされた手続補正（以下「本件補正」という）を却下する。
［理由］
１　補正の内容
（１）本件補正後の特許請求の範囲
　本件補正により、特許請求の範囲の請求項１の記載は、次のとおり補正された（下線は補正箇所を示す）。
「　【請求項１】
　略円筒形物体のサンドブラストを容易にするための固定治具であって、
　フレームと、
　前記フレーム上に装着され、略円筒形物体を堅固に保持するように動作可能な取付システムを含み且つ該円筒形物体を選択的に回転させるよう構成された回転テーブルと、
を備え、
　前記取付システムは、複数の取付ユニットを備え、
　前記複数の取付ユニットは、該複数の取付ユニット間の略円筒形物体を係合するよう動作し、
　前記複数の取付ユニットは、前記複数の取付ユニットから選択的に延伸して、前記物体と係合して保持するように動作するフィンガを備え、
　前記固定治具は、さらに、
　　前記フレーム上に装着されたブラストヘッド移動ユニットと、
　　前記ブラストヘッド移動ユニット上に装着されたブラストヘッドと、
　　前記フレームの底面に装着された複数のホイールと、
　を備え、
　前記ブラストヘッド移動ユニットが、垂直方向と回転方向に前記ブラストヘッドを移動して周期的振動させるよう構成されており、
　前記ブラストヘッドを垂直方向と回転方向に移動する駆動源が、前記フレームの外側に配置され、
　前記ブラストヘッドが、グリット供給システムに取り付けられるよう構成され、
　
前記ブラストヘッド移動ユニットは、垂直方向に移動可能な延長アームと、前記フレームの外側から前記延長アーム内を通って前記ブラストヘッドに結合するグリッド供給パイプとを有する、
固定治具。」
（２）本件補正前の特許請求の範囲
　本件補正前の、平成３０年７月２６日にされた手続補正により補正された特許請求の範囲の請求項１の記載は、次のとおりである。
「　【請求項１】
　略円筒形物体のサンドブラストを容易にするための固定治具であって、
　フレームと、
　前記フレーム上に装着され、略円筒形物体を堅固に保持するように動作可能な取付システムを含み且つ該円筒形物体を選択的に回転させるよう構成された回転テーブルと、
を備え、
　前記取付システムは、複数の取付ユニットを備え、
　前記複数の取付ユニットは、該複数の取付ユニット間の略円筒形物体を係合するよう動作し、
　前記複数の取付ユニットは、前記複数の取付ユニットから選択的に延伸して、前記物体と係合して保持するように動作するフィンガを備え、
　前記固定治具は、さらに、
　　前記フレーム上に装着されたブラストヘッド移動ユニットと、
　　前記ブラストヘッド移動ユニット上に装着されたブラストヘッドと、
　　前記フレームの底面に装着された複数のホイールと、
　を備え、
　前記ブラストヘッド移動ユニットが、垂直方向と回転方向に前記ブラストヘッドを移動して周期的振動させるよう構成されており、
　前記前記ブラストヘッドを垂直方向と回転方向に移動する駆動源が、前記フレームの外側に配置され、
　前記ブラストヘッドが、グリット供給システムに取り付けられるよう構成されている、
固定治具。」
２　補正の適否
（１）新規事項
　本件補正は、補正前に発明特定事項であった「ブラストヘッド移動ユニット」について、「垂直方向に移動可能な延長アーム」及び「前記フレームの外側から前記延長アーム内を通って前記ブラストヘッドに結合するグリッド供給パイプ」を有するという発明特定事項を付加するものである。
　そして、本件明細書の段落【００１６】には、「延長アーム２４２は、ブラストヘッド移動ユニット２４０において移動可能に装着される。」と記載され、段落【００１８】には、「延長アーム２４２は、ブラストヘッド移動ユニット２４０によって矢印２８０で示されるように垂直方向上向き及び下向きに移動することができる。」と記載されているから、「ブラストヘッド移動ユニット」が「垂直方向に移動可能な延長アーム」を有していることは、本件明細書に開示されている。
　また、本件明細書の段落【００１６】には、「グリット供給パイプ２４３は、延長アーム２４２の長さに下方に延びて、ブラストヘッド２４４にグリットを供給する。」と記載され、段落【００１７】には、「延長アーム２４２の上端では、カップリングユニット２４６を用いて、グリット供給パイプ２４３を外部グリット供給システムホース２４８に結合する。」と記載され、図２には、延長アーム２４２の上端のカップリングユニット２４６がフレーム２１０の外側にあることが示されているから、「ブラストヘッド移動ユニット」が「前記フレームの外側から前記延長アーム内を通って前記ブラストヘッドに結合するグリッド供給パイプ」を有していることは、本件明細書に開示されている。
　よって、本件補正は、本件明細書の記載からみて新規事項を追加するものではないから、特許法第１７条の２第３項に規定する要件を満たしている。
（２）目的要件
　本件補正は、「垂直方向に移動可能な延長アーム」及び「前記フレームの外側から前記延長アーム内を通って前記ブラストヘッドに結合するグリッド供給パイプ」という発明特定事項を直列的に付加する補正であるから、特許請求の範囲を減縮する補正に該当する。
　そして、補正前の請求項１は、「前記フレーム上に装着されたブラストヘッド移動ユニットと、前記ブラストヘッド移動ユニット上に装着されたブラストヘッドと、」「を備え、前記ブラストヘッド移動ユニットが、垂直方向と回転方向に前記ブラストヘッドを移動して周期的振動させるよう構成されており、」という発明特定事項を有しており、本件補正により、当該ブラストヘッド移動ユニットが、装着されたブラストヘッドを垂直方向に移動して周期的振動させる具体的手段として、「垂直方向に移動可能な延長アーム」を有するようにすることは、補正前の請求項における発明特定事項の一つ以上を、概念的に、より下位の発明特定事項とする補正に該当するものと認められる。
　また、補正前の請求項１は、「前記ブラストヘッド移動ユニット上に装着されたブラストヘッドと、」「を備え、」「前記ブラストヘッドが、グリット供給システムに取り付けられるよう構成されている」という発明特定事項を有しており、本件補正により、「前記ブラストヘッドがグリット供給システムに取り付けられ」てグリット供給システムからブラストヘッドにグリットを供給する具体的手段として、「前記フレームの外側から前記延長アーム内を通って前記ブラストヘッドに結合するグリッド供給パイプ」を有するようにすることは、補正前の請求項における発明特定事項の一つ以上を、概念的に、より下位の発明特定事項とする補正に該当するものと認められる。
　さらに、補正前の請求項１に記載された発明と、補正後の請求項１に係る発明とは、産業上の利用分野及び解決しようとする課題が同一である。
　よって、本件補正は、特許法第１７条の２第５項第２号の特許請求の範囲の限定的減縮を目的とするものに該当する。
（３）独立特許要件
　本件補正後の請求項１に係る発明（以下「本件補正発明」という）が、特許法第１７条の２第６項において準用する同法第１２６条第７項の規定に適合するか（特許出願の際独立して特許を受けることができるものであるか）について、以下、検討する。
ア　本件補正発明
　本件補正発明は、上記１（１）に記載したとおりのものである。
イ　引用文献の記載事項
（ア）引用文献１
　当審の最後の拒絶の理由で引用された、本願の優先日前に頒布された又は電気通信回線を通じて公衆に利用可能となった引用文献である、特開２０１０−２７４３５４号公報（以下「引用文献１」という）には、以下の事項及び発明が記載されている（下線は理解の便のため当審で付した。以下同様）。
ａ　「【００１３】
　本発明の
湿式ブラスト洗浄装置
　【００１４】
　図７、図８に例示するように、このタイヤ加硫用モールドは、
環状に組み付けられるそれぞれのセクター１９
ｂ　「【００１８】
　本発明の
洗浄装置１は、
カバー体４の内部に配置されたスラリ噴射ノズル６
を備えている
カバー体４の内部には、セクター１９（モールド）を載置する回転テーブル３が配置
８個のセクター１９が環状に配置されて回転テーブル３に載置されている
　【００１９】
　
スラリ噴射ノズル６を有するスラリ噴射ガンユニット５には、スラリ供給ホース５ａを介して水Ｗと研磨材Ｐとを所定割合で混合したスラリＳの供給源が接続される
　【００２０】
　このスラリ噴射ガンユニット５は、首振り機構１２を介して、上下動アーム１０ａの下端部に取り付けられている。首振り機構１２は、スラリ噴射ノズル６の噴射口の向きを上下に変えて噴射方向を変化させるものである。
スラリ噴射ノズル６の噴射口の向きを上下および左右に変える首振り機構１２
上下動アーム１０ａは、水平フレーム１１に水平移動および上下移動可能に取り付けられている
ｃ　「【００２３】
　回転テーブル３の回転動作、スラリ噴射ノズル６および水噴射ノズル８を任意の位置に移動させる
移動機構の動作、
首振り機構１２の動作は、制御装置により制御される
ｄ　「【００２８】
　スラリ噴射ノズル６の位置は制御装置により制御して、洗浄対象となるセクター１９の内周側表面２０の全範囲を網羅するように移動させつつ、スラリを噴射する。例えば、
１つのセクター１９の内周側表面２０の洗浄を完了すると、回転テーブル３を回転させて、別のセクター１９をスラリ噴射ノズル６の噴射口に対向させて、このセクター１９の内周側表面２０を洗浄
　【００２９】
　洗浄ムラを抑えるために、スラリ噴射ノズル６の噴射口と、これに対向するセクター１９の内周側表面２０との間隔がなるべく一定（例えば２０ｍｍ〜５０ｍｍ）になるように、スラリ噴射ノズル６の移動および噴射方向を制御する。例えば、湾曲した成形面では、
スラリ噴射ノズル６を上下移動させつつ、首振り機構１２で噴射方向を変える
ｅ　段落【００２８】の「１つのセクター１９の内周側表面２０の洗浄を完了すると、回転テーブル３を回転させて、別のセクター１９をスラリ噴射ノズル６の噴射口に対向させて、このセクター１９の内周側表面２０を洗浄する」との記載からみて、回転テーブル３は、セクター１９を選択的に回転させるものと認められる。
ｆ　段落【００２０】の「スラリ噴射ノズル６の噴射口の向きを上下及び左右に変える首振り機構１２」、段落【００２３】の「移動機構の動作、それぞれの首振り機構１２の動作は、制御装置により制御される」、段落【００２９】の「スラリ噴射ノズル６を上下移動させつつ、首振り機構１２で噴射方向を変える」という記載からみて、スラリ噴射ノズル６を垂直方向と回転方向に周期的振動させることも示唆されていると認められる。
ｇ　引用文献１に記載された発明
　上記摘記事項ａ〜ｄ及び認定事項ｅ、ｆを、技術常識を踏まえて整理すると、引用文献１には以下の発明が記載されていると認められる。
「環状に配置されたセクター１９の湿式ブラストを容易にするための洗浄装置１であって、
　カバー体４と、
　前記カバー体４の内部に配置され、該セクター１９を載置して選択的に回転させるよう構成された回転テーブル３と、
を備え、
　前記洗浄装置１は、さらに、
　　前記カバー体４上に装着された上下動アーム１０ａ、水平フレーム１１及び首振り機構１２と、
　　前記上下動アーム１０ａ上に取り付けられたスラリ噴射ノズル６と、
　を備え、
　前記上下動アーム１０ａ及び首振り機構１２が、垂直方向と回転方向に前記スラリ噴射ノズル６を移動して周期的振動させるように構成されており、
　前記スラリ噴射ノズル６が、スラリ供給ホース５ａを介して水Ｗと研磨材Ｐとを所定割合で混合したスラリＳの供給源に接続されるよう構成され、
　前記水平フレーム１１は、上下移動可能に取り付けられた上下動アーム１０ａを有する、
洗浄装置１。」（以下「引用発明」という）
（イ）引用文献２
　当審の最後の拒絶の理由で引用された、本願の優先日前に頒布された又は電気通信回線を通じて公衆に利用可能となった引用文献である、特開２０１０−９９８２０号公報（以下「引用文献２」という）には、以下の事項が記載されている。
ａ　「【００１３】
　本発明は、上記
クランプ装置
真円から非真円への加工方法における問題点
非真円筒の素材ワーク
歪んだ非真円筒の素材ワーク
把持し最終的に歪みの無い真円筒形や任意形状の非真円筒形に加工可能とするクランプ装置
ｂ　「【００３１】
　上記クランプ機構１０は、図２に見るように、流体圧力式のフォームロックチャックが採用されている。その構成は、機体Ｋの上面における各搭載面２Ａ〜２Ｈの外周面位置２Ｙに例えば８セット配置され、外径方向に拡縮するクランプ片１０Ａ〜１０Ｈをシリンダ体２１Ａ〜２１Ｈに嵌合されている。しかして、圧力制御機構３０からの所定圧力に制御された圧力油を各シリンダ体２１Ａ〜２１Ｈに一斉に供給することにより、
各クランプ片１０Ａ〜１０Ｈは、円筒ワーク１の外周面１Ｂ又は大径鍔１Ｂ´にその凹凸歪みや非真円に係わりなく中心方向への移動量が各別に微調節され均等圧に制御
ｃ　「【００３８】
　しかして、上記横旋盤２００によると、図１〜図４に見る様に、円筒ワーク（被加工材）１の外周面が切削される。まず、円筒ワーク（被加工材）１は、クランプ装置１００にその昇降駆動機構２０の各搭載面２Ａ〜２Ｈに対して各昇降体２０Ａ〜２０Ｈが円筒ワーク１の底面１Ａにその凹凸歪みに係わりなく上昇量が微調節されて均等圧に制御付与される。また、
各クランプ片１０Ａ〜１０Ｈは、円筒ワーク１の外周面１Ｂにその凹凸歪みや非真円に係わりなく中心方向への移動量が各別に微調節され均等圧に制御付与され、把持歪み無く保持される
ｄ　図１
（ウ）引用文献３
　当審の最後の拒絶の理由で引用された、本願の優先日前に頒布された又は電気通信回線を通じて公衆に利用可能となった引用文献である、実願昭５７−１３４０６２号（実開昭５９−３９１３６号）のマイクロフィルム（以下「引用文献３」という）には、以下の事項が記載されている。
ａ　「置爪台１及びテーブル５は以上のような構成を有するので、
立型旋盤のテーブル５上に、置爪台１を装着して所定の加工を行なう場合には、テーブル５上の４組の保持溝５ｄ，５ｄに、各組に一個充ての台１を、
設置し、被加工物の保持に適した適当な位置まで中心ＣＴ方向に溝５ｄに沿って移動させる。
　こうして、
４個の置爪台１のテーブル５上への設置が完了すると、
爪７はＡ又はＢ方向に所定量移動し、被加工物は４個の爪７によってテーブル５上に確実に固定される
　
加工に際しては、テーブル５が第１図矢印、Ｅ又はＦ方向に回転駆動される
ｂ　第１図
（エ）引用文献４
　当審の最後の拒絶の理由で引用された、本願の優先日前に頒布された又は電気通信回線を通じて公衆に利用可能となった引用文献である、特開平９−２６７２６１号公報（以下「引用文献４」という）には、以下の事項が記載されている。
ａ　「【００１６】架台１００は、底板１０１と天板１０２と側壁１０３とドア１０４とをもって密封箱状に形成されており、
底板１０１の下面には当該ショットブラスト装置を所要の作業現場に移動させるための車輪１０５
ｂ　図１
（オ）引用文献５
　当審の最後の拒絶の理由で引用された、本願の優先日前に頒布された又は電気通信回線を通じて公衆に利用可能となった引用文献である、特開２０１０−３６２９４号公報（以下「引用文献５」という）には、以下の事項が記載されている。
ａ　「【００１２】
　そして、容器２内の排気を行うため上部内壁２ａの上部に排気口８が形成され、排気口８にはフィルタ９が設置されている。そして、被研磨材１０１の容器２内への出し入れを行うために容器２の上面に形成され開状態１０ａが可能な開閉部１０と、被研磨材１０１を容器２内にて把持するため容器２の側壁としての上部内壁２ａに形成された把持部１１と、コンプレッサ６から分岐し容器２内にて気体を噴射する気体ノズル部１２と、容器２内の照明を行うためのランプ１３ａとこのランプ１３ａを覆うためのカバー１３ｂにて構成されている照明部１３とを備える。さらに、
研磨装置１を支持するとともに、容器２を移動するためキャスタが設置されている容器２の底部に形成された支持移動部１４
ｂ　図１
（カ）引用文献６
　当審の最後の拒絶の理由で引用された、本願の優先日前に頒布された又は電気通信回線を通じて公衆に利用可能となった引用文献である、実願平５−５２２８７号（実開平７−１７４６２号）のＣＤ−ＲＯＭ（以下「引用文献６」という）には、以下の事項が記載されている。
ａ　「１′は本考案のサンドブラスト装置の本体、２′は側壁部の下方が逆錘状に形成され底部が開口したキャビネット、５′は大型の被加工物でも収容できるようにキャビネット前面一杯に開口した跳ね上げ式の前部扉、２ａ′は前部扉５′に配設された作業用透視窓、２ｃは作業用透視窓２ａ′の外側の透明なアクリル板、２ｄはアクリル板２ｃの内側に被着された透明なポリ塩化ビニル等の軟質の合成樹脂板、２ｅはキャビネット２の開口した底部に螺状に形成された係合部、
３ａは脚部３の端部に回動自在に軸着されたキャスタ
ｂ　図１
（キ）引用文献７
　当審の最後の拒絶の理由で引用された、本願の優先日前に頒布された又は電気通信回線を通じて公衆に利用可能となった引用文献である、特開平１１−３２０４１４号公報（以下「引用文献７」という）には、以下の事項が記載されている。
ａ　「【００１３】
図１に示すように、Ｚ方向のトラバーサ１１により、ブラストガン１を上下方向に（その軸に沿って）移動することができ、ブラストガン１は、その下端近傍に、ブラスト材２を吹出すためのブラストノズル３を有する。また、ブラストガン１は、その軸回りを自転するように回転可能に設けており、ブラスト材２の吹出しに伴い自転するようにしてある。
ブラストガン１が上方からシリンダ内を進行（降下）する
【００１４】ブラストノズル３の吹出し方向は斜め下方であり、図２に示すように、シリンダ内面とブラスト角度θだけ傾いた方向にブラスト材２を吹出す。
【００１５】この装置では、図３に示すように、
ブラストガン１がブラスト材２を吹出しながら回転下降して、１つのシリンダの内面５をブラスト処理する
ブラストノズル３の移動範囲Ａは、シリンダ内面５の上端５ａから下端５ｂまでを連続してブラスト処理できる
ｂ　図１及び図２
ウ　引用発明との対比
　本件補正発明と引用発明とを対比する。
　引用発明の「環状に配置されたセクター１９」及び「カバー体４」は、それぞれ本件補正発明の「略円筒形物体」及び「フレーム」に相当する。
　引用発明の「湿式ブラスト」は、本件補正発明の「サンドブラスト」と対比すると、「ブラスト」である点では一致する。
　引用発明の「洗浄装置１」は、セクター１９の洗浄を行うために、カバー体４内部にセクター１９を載置固定しておくものであるから、本件補正発明の「固定治具」に相当するものといえる。
　引用発明の「前記カバー体４の内部に配置され、該セクター１９を載置して選択的に回転させるよう構成された回転テーブル３」と、本件補正発明の「前記フレーム上に装着され、略円筒形物体を堅固に保持するように動作可能な取付システムを含み且つ該円筒形物体を選択的に回転させるよう構成された回転テーブル」とを対比すると、「前記フレーム上に装着され、略円筒形物体を保持し且つ該円筒形物体を選択的に回転させるよう構成された回転テーブル」という点では一致する。
　引用発明の「上下動アーム１０ａ、水平フレーム１１及び首振り機構１２」を併せたものは、その機能からみて、本件補正発明の「ブラストヘッド移動ユニット」に相当する。
　引用発明の「スラリ噴射ノズル６」は、本件補正発明の「ブラストヘッド」に相当する。
　引用発明の「前記スラリ噴射ノズル６が、スラリ供給ホース５ａを介して水Ｗと研磨材Ｐとを所定割合で混合したスラリＳの供給源に接続される」ことは、本件補正発明の「前記ブラストヘッドが、グリット供給システムに取り付けられる」ことに相当する。
　引用発明の「前記水平フレーム１１は、上下移動可能に取り付けられた上下動アーム１０ａを有する」ことは、本件補正発明の「前記ブラストヘッド移動ユニットは、垂直方向に移動可能な延長アーム」「を有する」ことに相当する。
　以上のことから、本件補正発明と引用発明との一致点及び相違点は、次のとおりである。
＜一致点＞
　「略円筒形物体のブラストを容易にするための固定治具であって、
　フレームと、
　前記フレーム上に装着され、略円筒形物体を保持し且つ該円筒形物体を選択的に回転させるよう構成された回転テーブルと、
を備え、
　前記固定治具は、さらに、
　　前記フレーム上に装着されたブラストヘッド移動ユニットと、
　　前記ブラストヘッド移動ユニット上に装着されたブラストヘッドと、
　を備え、
　前記ブラストヘッド移動ユニットが、垂直方向と回転方向に前記ブラストヘッドを移動して周期的振動させるよう構成されており、
　前記ブラストヘッドが、グリット供給システムに取り付けられるよう構成され、
　前記ブラストヘッド移動ユニットは、垂直方向に移動可能な延長アームを有する、
固定治具。」
＜相違点１＞
　本件補正発明のブラストが「サンドブラスト」であるのに対し、引用発明は湿式ブラストである点。
＜相違点２＞
　本件補正発明の回転テーブルが、「略円筒形物体を堅固に保持するように動作可能な取付システムを含み」、「前記取付システムは、複数の取付ユニットを備え、前記複数の取付ユニットは、該複数の取付ユニット間の略円筒形物体を係合するよう動作し、前記複数の取付ユニットは、前記複数の取付ユニットから選択的に延伸して、前記物体と係合して保持するように動作するフィンガを備え」ているのに対し、引用発明の回転テーブル３は、環状に配置されたセクター１９を保持する手段については不明である点。
＜相違点３＞
　本件補正発明は「フレームの底面に装着された複数のホイール」を備えているのに対し、引用発明のカバー体４は底面にホイールを備えていない点。
＜相違点４＞
　本件補正発明は「前記ブラストヘッドを垂直方向と回転方向に移動する駆動源が、前記フレームの外側に配置され」ているのに対し、引用発明は、そのようになっていない点。
＜相違点５＞
　本件補正発明のブラストヘッド移動ユニットが、「前記フレームの外側から前記延長アーム内を通って前記ブラストヘッドに結合するグリッド供給パイプ」を有しているのに対し、引用発明のスラリ噴射ノズル６にはスラリ供給ホース５ａが直接接続されている点。
エ　判断
（ア）相違点１について
　ブラスト技術において、サンドブラストのような乾式ブラストや湿式ブラストは、両方ともに従来周知の手段であって、一般的に加工対象の材質や種類の違いによって適宜使い分けられるものの、本体構造やワークテーブル及びブラストヘッド等の移動機構の構成は、両手段で共通の構成を使用可能なことは技術常識であるから、引用発明の洗浄装置をサンドブラスト用とすることも、当業者であれば容易に想到する事項である。
（イ）相違点２について
　引用文献２には、非真円の円筒ワーク１を回転テーブル上にクランプする手段として、複数セット設けたクランプ機構１０が記載されており、当該クランプ機構１０は、円筒ワーク１に係合するように動作し、中心方向への移動量が各別に調節されるクランプ片１０Ａ〜１０Ｈを有するものである。そうすると、引用文献２に記載された「クランプ機構１０」及び「クランプ片１０Ａ〜１０Ｈ」は、それぞれ本件補正発明の「取付ユニット」及び「フィンガ」に相当する。
　また、引用文献３には、被加工物を水平面内で回転するテーブル上に保持する手段として、４個の爪７を中心方向に移動させて被加工物を固定する４個の置爪台１が記載されており、当該「置爪台１」及び「爪７」は、それぞれ本件補正発明の「取付ユニット」及び「フィンガ」に相当する。
　そして、引用発明の回転テーブル３の被加工物取り付け手段として、同様に回転テーブルへの被加工物取り付け手段である、引用文献２に記載されたクランプ機構１０又は引用文献３に記載された置爪台１に示されるような従来周知の被加工物取り付け手段を適用することは、当業者であれば容易に想到する事項である。
（ウ）相違点３について
　サンドブラストを行う装置のフレームの底面に複数のホイールを装着して移動可能にする技術は、例えば、引用文献４の段落【００１６】に記載された架台１００の底板１０１の下面に取り付けられた車輪５や、引用文献５の段落【００１２】に記載された容器２の底部に形成された支持移動部１４に設置されたキャスタ、引用文献６の段落【０００６】に記載された脚部３の端部に回動自在に軸着されたキャスタとして示されているように、従来周知の事項にすぎず、このような従来周知の事項を、引用発明のカバー体４に適用することも、当業者が容易に想到する事項である。
（エ）相違点４について
　ブラストヘッドを垂直方向と回転方向に移動する駆動源を、装置フレームの外側に配置することは、引用文献７に、軸回りに自転可能なブラストガン１を有するＺ方向のトラバーサ１１を、キャビネット１２の上方外部に設ける構成として示されている。そして、このようにノズルを上下移動及び回転移動させてブラスト加工を行うことは従来周知の事項であり、また、ブラスト装置の噴射ノズルの移動機構をどのように構成するかは、当業者が必要に応じて適宜設定する事項にすぎないから、引用発明のスラリ噴射ノズル６の移動機構について、引用文献７に記載されたブラストガン１やトラバーサ１１等の移動機構を適用し、相違点４に係る構成とすることは、当業者が容易に想到する事項である。
（オ）相違点５について
　本件補正発明の相違点５に係る発明特定事項である「延長アーム内を通ってブラストヘッドに結合するグリッド供給パイプ」の構造は、ブラスト技術において、本願の優先日前から従来周知の構造に過ぎない。それは例えば、特開２００２−５２４７１号公報（段落【００１４】の噴射ノズル２２へ研削材を供給する配管２３を参照）、特開２００９−２２６５０８号公報（段落【００１９】−【００２１】の噴射ノズル１６に接合された高圧管１５を参照）、実願昭６３−９７８８８号（実開平２−１９４６６号）のマイクロフィルム（明細書２ページ１０〜１５行の、上端部に超高圧水スイベル６１を設けた内管６２と、上端部に研摩材スイベル６３を設けた外管６４とからなり、下端部にノズル部７が形成された二重管を参照）、特開２００３−１４５４２６号公報（段落【００１５】のブラスト供給部１４からブラスト材１６が供給されるノズル１３を参照）のように多くの文献に記載されていることからも理解される。
　そして、当該従来周知の構造を、引用発明のスラリ噴射ノズル６のスラリＳ及び圧縮エアＡの供給源に替えて適用し、カバー体４の外側から上下動アーム１０ａを通じてスラリＳ及び圧縮エアＡを供給するように構成することも、当業者であれば容易に想到しうるものと認められる。
（カ）効果について
　上記の相違点１ないし５を総合的に勘案しても、本件補正発明の奏する効果は、引用発明及び引用文献２ないし７等に記載されたような従来周知の事項が奏する効果から、予測される範囲内のものにすぎず、格別顕著なものということはできない。
　
オ　小結
　よって、本件補正発明は、引用発明及び引用文献２ないし７等に記載された従来周知の事項に基づいて、当業者が容易に発明をすることができたものであり、特許法第２９条第２項の規定により、特許出願の際独立して特許を受けることができないものである。
（４）本件補正についてのむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下されるべきものである。
　よって、上記補正の却下の決定の結論のとおり決定する。
第３　本願発明について
１　本願発明
　本件補正は、上記のとおり却下されたので、本願の請求項１ないし５に係る発明は、平成３０年７月２６日にされた手続補正により補正された特許請求の範囲の請求項１ないし５に記載された事項により特定されるものであるところ、その請求項１に係る発明（以下「本願発明」という）は、上記第２の１（２）に記載されたとおりのものである。
　ただし、「前記前記ブラストヘッドを垂直方向と回転方向に移動する駆動源が、」という記載については、「前記前記」が「前記」の誤記であることは明白であるので、「前記ブラストヘッドを垂直方向と回転方向に移動する駆動源が、」という記載であるとみなす。
２　当審の最後の拒絶の理由
　当審の最後の拒絶の理由１は、本願の請求項１ないし５に係る発明は、本願出願前に頒布された又は電気通信回線を通じて公衆に利用可能となった以下の文献に記載された発明に基づいて、当業者が容易に発明をすることができたものであるから、特許法第２９条第２項の規定により特許を受けることができない、というものである。
　１．特開２０１０−２７４３５４号公報　（上記引用文献１）
　２．特開２０１０−９９８２０号公報　（上記引用文献２）
　３．実願昭５７−１３４０６２号（実開昭５９−３９１３６号）のマイクロフィルム　（上記引用文献３）
　４．特開２００２−１３７１６７号公報
　５．特開２００１−１０５３２３号公報
　６．特開平９−２６７２６１号公報　（上記引用文献４）
　７．特開２０１０−３６２９４号公報　（上記引用文献５）
　８．実願平５−５２２８７号（実開平７−１７４６２号）のＣＤ−ＲＯＭ　（上記引用文献６）
　９．特開平１１−３２０４１４号公報　（上記引用文献７）
３　引用文献
　当審の最後の拒絶の理由で引用された引用文献１ないし７及びその記載事項は、前記第２の［理由］２（３）イに記載したとおりである。
４　対比・判断
　本願発明は、前記第２の［理由］２で検討した本件補正発明から、「前記ブラストヘッド移動ユニットは、垂直方向に移動可能な延長アームと、前記フレームの外側から前記延長アーム内を通って前記ブラストヘッドに結合するグリッド供給パイプとを有する」に係る限定事項を削除したものである。
　そうすると、本願発明の発明特定事項を全て含み、さらに他の事項を付加したものに相当する本件補正発明が、前記第２の［理由］２（３）に記載したとおり、引用発明及び引用文献２ないし７等に記載された従来周知の事項に基づいて、当業者が容易に発明をすることができたものであるから、本願発明も、引用発明及び引用文献２ないし７等に記載された従来周知の事項に基づいて、当業者が容易に発明をすることができたものである。
第４　むすび
　以上のとおり、本願発明は、特許法第２９条第２項の規定により特許を受けることができないから、本願の他の請求項に係る発明について検討するまでもなく、本願は拒絶されるべきものである。
　よって、結論のとおり審決する。